(57)【要約】  【課題】視覚的に、触覚的に血管の状態を理解できるようにした血管モデルを提供する。  【解決手段】第１の血管モデル１０は、管（第１の血管部１４）を有し、第１の血管部１４の内壁は略平滑に形成されている。この第１の血管部１４の両端部には第１の粒状物収容部１６、１６が設けられている。また、第１の粒状物収容部１６、１６の内部には多数の粒状物１８が収容される。第２の血管モデル１２は、管（第２の血管部２４）を有し、第２の血管部２４の内壁には、凹凸部（アテローム部３２）が設けられている。この第２の血管部２４の両端部には第２の粒状物収容部２６、２６が設けられている。また、第２の粒状物収容部２６、２６の内部には多数の第２の粒状物２８が収容される。【選択図】図１
2006126686.tif 000002
【特許請求の範囲】
【請求項１】
管と、この管に接続された粒状物収容部と、この粒状物収容部に収容され、重力により前記管を流れる粒状物とを有する血管モデル。
【請求項２】
前記管は弾性体からなる請求項１記載の血管モデル。
【請求項３】
前記粒状物収容部は透光性である請求項１又は請求項２記載の血管モデル。
【請求項４】
前記管は透光性である請求項１乃至３いずれか記載の血管モデル。
【請求項５】
第１の管と、この第１の管に接続された第１の粒状物収容部と、
この第１の粒状物収容部に収容され、重力により前記第１の管を流れる第１の粒状物と
を有する第１の血管モデルと、
第２の管と、この第２の管に接続された第２の粒状物収容部と、
この第２の粒状物収容部に収容され、重力により前記第２の管を流れる第２の粒状物と
を有する第２の血管モデルとを有し、
前記第１の管は、内壁が略平滑に形成され、前記第２の管は、内壁が凹凸に形成されている血管モデルの組合せ。
【請求項６】
前記第１の管及び前記第２の管はそれぞれ弾性体からなり、前記第２の管は、前記第１の管より硬い請求項５記載の血管モデルの組合せ。
【発明の詳細な説明】
【技術分野】
【０００１】
本発明は、血管の状態を表現する血管モデルに関する。
【背景技術】
【０００２】
食生活の変化、運動不足、高齢化等に伴って例えば動脈硬化のように血管機能が低下したことを検査することは有用である。従来、血管機能を検査するための指標としてＰＷＶが知られている。ＰＷＶとは、心臓からの脈波が所定部位まで伝播する速度をいう。伸展性のよい動脈では、ゴムチューブのように脈波が血管壁に吸収され、ＰＷＶは遅くなる。動脈硬化により伸展性が失われた動脈では、鉄パイプのように衝撃の緩衝力が失われるため、ＰＷＶは速くなる。このようなＰＷＶを指標の一つとすることは広く知られている（例えば特許文献１）。
【０００３】
【特許文献１】特開２００３−２５０７６９号公報
【発明の開示】
【発明が解決しようとする課題】
【０００４】
しかしながら、従来においては、このような血管の状態を容易に表すものがなく、動脈硬化について分かりやすく説明することが困難であった。
【０００５】
本発明は、上記従来の問題点を解消し、視覚的、触覚的に血管の状態を理解できるようにした血管モデルを提供することにある。
【課題を解決するための手段】
【０００６】
本発明の第１の特徴とするところは、管と、この管に接続された粒状物収容部と、この粒状物収容部に収容され、重力により前記管を流れる粒状物とを有する血管モデルにある。
【０００７】
好適には、前記管は弾性体からなる。
【０００８】
また、好適には、前記粒状物収容部は透光性である。
【０００９】
また、好適には、前記管は透光性である。
【００１０】
本発明の第２の特徴とするところは、第１の管と、この第１の管に接続された第１の粒状物収容部と、この第１の粒状物収容部に収容され、重力により前記第１の管を流れる第１の粒状物とを有する第１の血管モデルと、第２の管と、この第２の管に接続された第２の粒状物収容部と、この第２の粒状物収容部に収容され、重力により前記第２の管を流れる第２の粒状物とを有する第２の血管モデルとを有し、前記第１の管は、内壁が略平滑に形成され、前記第２の管は、内壁が凹凸に形成されている血管モデルの組合せにある。
【００１１】
好適には、前記第１の管及び前記第２の管はそれぞれ弾性体からなり、前記第２の管は、前記第１の管より硬い請求項５記載の血管モデルの組合せである。
【発明の効果】
【００１２】
本発明によれば、血管の状態を視覚的に、触覚的に理解することができる。
【発明を実施するための最良の形態】
【００１３】
次に、本発明の実施形態を図面に基づいて説明する。
【００１４】
図１において、本発明の実施に係る第１の血管モデル１０と第２の血管モデル１２とを組合わせた血管モデルの組合せが示されている。
【００１５】
まず、第１の血管モデル１０について図２に基づいて詳細に説明する。図２（ａ）は第１の血管モデル１０の縦断面図、図２（ｂ）は図２（ａ）のＡ−Ａ線断面図である。
【００１６】
第１の血管モデル１０は、管（第１の血管部１４）を有し、この第１の血管部１４の両端部には第１の粒状物収容部１６、１６が設けられている。また、第１の血管部１４および第１の粒状物収容部１６、１６の内部には多数の第１の粒状物１８が収容され、第１の粒状物１８は第１の血管部１２および第１の粒状物収容部１４、１４の内部を自在に移動できるよう構成されている。また、第１の血管モデル１０が自立可能なよう第１の粒状物収容部１６、１６には第１の保持部材２０、２０が設けられている。
【００１７】
第１の血管部１４は、中空の円筒形状に形成され、後述する第２の血管モデル１２の血管部と同じ太さ及び同じ長さに形成されている。この第１の血管部１４は、例えば若くて弾力のある人体の血管を模ったもので、後述する第２の血管モデル１２の血管部よりも柔らかい弾性体から構成される。また、第１の血管部１４は、この第１の血管部１４の内部の状態を外部から観察できるよう透光性を有する部材で構成される。即ち、第１の血管部１４は、弾性および透光性の双方の性質を有する部材からなり、弾性・透光性樹脂、例えば、ポリ塩化ビニル樹脂（ＰＶＣ）、ポリブタジエン（ＰＢＤ）、アイオノマー（ＩＯ）、低密度ポリエチレン（ＬＤ−ＰＥ）等からなる。また、この第１の血管部１４の内壁は略平滑に形成されている。
【００１８】
第１の粒状物収容部１６、１６は、例えば略球状に形成され、第１の血管部１４の両端部に設けられる。また、第１の粒状物収容部１６、１６は、この第１の粒状物収容部１６、１６の内部の状態を外部から観察できるよう透光性を有する部材で構成される。この第１の粒状物収容部１６、１６には、第１の粒状物収容部１６、１６と第１の血管部１４との接合部に第１の血管部１４の直径と同じ大きさの第１の貫通孔２２が形成されている。この第１の貫通孔２２が形成されていることにより、第１の血管部１４と第１の粒状物収容部１６、１６とが連通している。
【００１９】
第１の粒状物１８は、例えば球状に形成され、第１の血管部１４の内部及び第１の粒状物収容部１６、１６の内部に多数配置される。この第１の粒状物１８は、例えば後述する第２の血管モデル１２の第２の粒状物と同一の粒径に形成され、例えば後述する第２の粒状物と同じ数配置される。また、第１の粒状物１８は、第１の血管モデル１０を垂直に立てることにより、上方に配置される一方の第１の粒状物収容部１６から第１の血管部１４の内部を通過して下方に配置される他方の第１の粒状物収容部１６へ重力によって移動する（流れる）ようになっている。この第１の粒状物１８は、人体の血液を模ったもので、第１の粒状物１８の動き（移動）により血液の流れの状態を視覚的に理解することができる。
【００２０】
第１の保持部材２０、２０は、第１の血管モデル１０が自立可能なようそれぞれの第１の粒状物収容部１６、１６の垂直方向端部に一つずつ設けられる。この一方の第１の保持部材２０を下にして略水平な場所に置くことで、第１の血管モデル１０を垂直に立たせることができ、また、他方の第１の保持部材２０を下にして置いても、第１の血管モデル１０を垂直に立たせることが可能である。即ち、この第１の保持部材２０、２０により第１の血管モデル１０は１８０°回転させても立たせることができる。
【００２１】
次に、第２の血管モデル１２について図３に基づいて詳細に説明する。図３（ａ）は第２の血管モデル１２の縦断面図、図３（ｂ）は図３（ａ）のＢ−Ｂ線断面図である。
【００２２】
第２の血管モデル１２は、管（第２の血管部２４）を有し、この第２の血管部２４の両端部には第２の粒状物収容部２６、２６が設けられている。また、第２の血管部２４および第２の粒状物収容部２６、２６の内部には多数の第２の粒状物２８が収容され、第２の粒状物２８は第２の血管部２４および第２の粒状物収容部２６、２６の内部を自在に移動できるように構成されている。また、第２の血管モデル１２が自立可能なよう第２の粒状物収容部２６、２６には第２の保持部材３０、３０が設けられている。
【００２３】
第２の血管部２４は、中空の円筒形状に形成され、上述した第１の血管モデル１０の第１の血管部１４と同じ太さ及び同じ長さに形成されている。この第２の血管部２４は、例えば硬くなった人体の血管を模ったもので、上述した第１の血管モデル１０の血管部１４よりも硬い弾性体から構成される。また、第２の血管部２４は、この第２の血管部２４の内部の状態を外部から観察できるよう透光性を有する部材で構成される。即ち、第２の血管部２４は、弾性および透光性の双方の性質を有する部材からなり、弾性・透光性樹脂、例えば、ポリ塩化ビニル樹脂（ＰＶＣ）、ポリブタジエン（ＰＢＤ）、アイオノマー（ＩＯ）、低密度ポリエチレン（ＬＤ−ＰＥ）等からなる。
【００２４】
また、第２の血管部２４の内壁全体には、凹凸部（アテローム部３２）が設けられている。このアテローム部３２は、人体の血管の内膜にコレステロールなどの脂肪からなる粥状物質（アテローム）がたまって硬化した粥状硬化（アテローム硬化）を模ったものである。このアテローム部３２には、人体の血管内にみられるアテロームと同様に多数の凹凸が形成されている。また、アテローム部３２は、上述した第２の血管部２４と同様に、内部の状態を外部から観察できるよう透光性を有する部材で構成され、さらに、上述した第１の血管部１４より硬い部材で構成される。したがって、第２の血管部２４の内部を観察することができるため、アテロームによって中が詰まった（細くなった）血管を視覚的に理解することができ、また、その感触からアテローム硬化による動脈硬化（血管が硬くなった状態）を触覚的に理解することができる。さらに、上述した第１の血管モデル１０の第１の血管部１４と第２の血管モデル１２の第２の血管部２４とを比較することにより、動脈硬化による血管内の状態をより明確に視覚的に、触覚的に理解することができる。
なお、このアテローム部３２は、第２の血管部２４と一体に形成するようにしてもよい。
【００２５】
第２の粒状物収容部２６、２６は、例えば略球状に形成され、第２の血管部２４の両端部に設けられる。また、第２の粒状物収容部２６、２６は、この第２の粒状物収容部２６、２６の内部の状態を外部から観察できるよう透光性を有する部材で構成される。この第２の粒状物収容部２６、２６には、第２の粒状物収容部２６、２６と第２の血管部２４との接合部に第２の血管部２４の直径と同じ大きさの第２の貫通孔３４が形成されている。この第２の貫通孔３４が形成されていることにより、第２の血管部２４と第２の粒状物収容部２６、２６とが連通している。
【００２６】
第２の粒状物２８は、例えば球状に形成され、第２の血管部２４の内部及び第２の粒状物収容部２６、２６の内部に多数配置される。この第２の粒状物２８は、例えば上述した第１の血管モデル１０の第１の粒状物１８と同一の粒径に形成され、例えば上述した第１の粒状物１８と同じ数配置される。また、第２の粒状物２８は、第２の血管モデル１２を垂直に立てることにより、上方に配置される一方の第２の粒状物収容部２６から第２の血管部２４の内部を通過して下方に配置される他方の第２の粒状物収容部２６へ重力によって移動するようになっている。この第２の粒状物２８は、人体の血液を模ったもので、第２の粒状物２８の動き（移動）により血液の流れの状態を視覚的に理解することができる。
【００２７】
第２の保持部材３０、３０は、第２の血管モデル１２が自立可能なようそれぞれの第２の粒状物収容部２６、２６の垂直方向端部に一つずつ設けられる。この一方の第２の保持部材３０を下にして略水平な場所に置くことで、第２の血管モデル１２を垂直に立たせることができ、また、他方の第２の保持部材３０を下にして置いても、第２の血管モデル１２を垂直に立たせることが可能である。即ち、この第２の保持部材３０、３０により第２の血管モデル１２は１８０°回転させても立たせることができる。
【００２８】
次に、上記実施形態の作用について説明する。
【００２９】
第１の血管モデル１０を略水平な場所に垂直に立たせ、全ての第１の粒状物１８を重力により下方の第１の粒状物収容部１６に収容させる。同様に、第２の血管モデル１２を略水平な場所に垂直に立たせ、全ての第２の粒状物２８を重力により下方の第２の粒状物収容部２６に収容させる。
【００３０】
次に、あたかも砂時計のように、第１の血管モデル１０及び第２の血管モデルを１８０°回転させ、両者を立たせる。
【００３１】
第１の血管モデル１０においては、第１の血管モデル１０が１８０°回転することにより、上方の第１の粒状物収容部１６に収容された第１の粒状物１８は、順次重力により第１の血管部１４の内部を移動する。このとき、第１の血管部１４の内部は略平滑に形成されているため、血管部１２内部では多くの第１の粒状物１８がほぼ直線的に下方にスムーズに移動する。
【００３２】
第２の血管モデル１２においては、第２の血管モデル１２が１８０°回転することにより、上方の第２の粒状物収容部２６に収容された第２の粒状物２８は、順次重力により第２の血管部２４の内部を移動する。このとき、第２の血管部２４の内部には多数の凹凸を有するアテローム部３２が形成されているため、多くの粒状物１６はこのアテローム部３２に衝突し、方向を変えながら移動する。これにより、アテローム硬化による動脈硬化によって血流が乱流となっている状態を理解することができる。
【００３３】
図１に示すように、第１の血管モデル１０における第１の血管部１４の上方の第１の粒状物収容部１６では、多くの第１の粒状物１８がスムーズに下方（第１の血管部１４内）に流れるように移動する。一方、第２の血管モデル１２における第２の血管部２４の上方の第２の粒状物収容部２６では、多くの第２の粒状物２８が下方（第２の血管部２４内）に移動しようとするが、第２の血管部２４の直径がアテローム部３２により小さく（細く）なっているため、第２の粒状物２８はスムーズに流れる（移動する）ことができない。このように、第１の粒状物１８と第２の粒状物２８との流れる状態を比較することで、アテローム硬化による動脈硬化によって血流が流れにくくなっている状態を、より明確に視覚的に理解することができる。
【００３４】
また、第１の血管モデル１０の第１の血管部１４に全ての第１の粒状物１８が通過する（流れる）時間と第２の血管モデル１２の第２の血管部２４に全ての第２の粒状物２８が通過する（流れる）時間とを比較することにより、動脈硬化による血流の流れにくさを第１の粒状物１８及び第２の粒状物２８の通過時間により理解することができる。
【００３５】
全ての第１の粒状物１８が下方の第１の粒状物収容部１６に収容された後に、再度、第１の血管モデル１０を１８０°回転させることで、何度でも第１の粒状物１８を第１の血管部１４に流すことができる。同様に、全ての第２の粒状物２８が下方の第２の粒状物収容部２６に収容された後に、再度、第２の血管モデル１２を１８０°回転させることで、何度でも第２の粒状物２８を第２の血管部２４に流すことができる。このように、砂時計の原理を用いることにより、血液の流れる状態を何度でも繰り返し再現することができる。
【００３６】
また、第１の粒状物１８を第１の血管部１４に流す操作は、第１の血管モデル１０を１８０°回転させるのみであるので、誰にでも容易に操作することができる。同様に、第２の粒状物２８を第２の血管部２４に流す操作においても、第２の血管モデル１２を１８０°回転させるのみであるので、誰にでも容易に操作することができる。
【図面の簡単な説明】
【００３７】
【図１】本発明の実施形態に係る血管モデルの組合せた全体の縦断面図を示す。
【図２】本発明の実施形態に係る第１の血管モデルを表し、（ａ）は縦断面図、（ｂ）は（ａ）のＡ−Ａ線断面図を示す。
【図３】本発明の実施形態に係る第２の血管モデルを表し、（ａ）は縦断面図、（ｂ）は（ａ）のＢ−Ｂ線断面図を示す。
【符号の説明】
【００３８】
１０  第１の血管モデル
１２  第２の血管モデル
１４  第１の血管部
１６  第１の粒状物収容部
１８  第１の粒状物
２４  第２の血管部
２６  第２の粒状物収容部
２８  第２の粒状物
３２  アテローム部
【図１】
2006126686.tif 000003
【図２】
2006126686.tif 000004
【図３】
2006126686.tif 000005